(57)【要約】【課題】耳介による支持が安定に行なわれるとともに、重量が大きくても十分に支えることが可能であって落下せず、しかも装飾性が大幅に向上したイヤリングを提供することを目的とする。【解決手段】耳介の前面側に装飾部材を装着するようにしたクリップ式イヤリングであって、耳介の前面側の適所に当接する押圧部を備えたフック状部材を前記装飾部材背面の適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記装飾部材の基端部に開閉自在かつ装飾部材側に付勢するよう取り付けることにより、装飾性を損なうことなく耳介からの脱落を防止できるようにしたことを特徴とするクリップ式イヤリング。【選択図】図３
2018079103.tif 000002
【特許請求の範囲】
【請求項１】
耳介の前面側に装飾部材を装着するようにしたクリップ式イヤリングであって、耳介の前面側の適所に当接する押圧部を備えたフック状部材を前記装飾部材背面の適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記装飾部材の基端部に開閉自在かつ装飾部材側に付勢するよう取り付けることにより、装飾性を損なうことなく耳介からの脱落を防止できるようにしたことを特徴とするクリップ式イヤリング。
【請求項２】
前記耳介の耳たぶ以外の部位を厚さ方向かつ斜め方向で挟み付ける挟着部材は、前記押圧部を備えたフック状部材に少なくとも垂直方向に対して３０°以上の角度で対向し、挟着時に無理なく耳介からの脱落を防止できるようにしたことを特徴とする請求項１に記載のクリップ式イヤリング。
【請求項３】
前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることを特徴とする請求項１または２に記載のクリップ式イヤリング。
【請求項４】
前記装飾部材は、金属線材を加工して裏側を透視可能となっており、かつ耳介の中段部分に位置する凹所に係止する押圧部を備えたフック状部材をも前記金属線材によって一体的に形成してあることを特徴とする請求項１ないし３のいずれかに記載のクリップ式イヤリング。
【発明の詳細な説明】
【技術分野】
【０００１】
本発明は耳介を挟み付けるようにしたイヤリングに関する。
【背景技術】
【０００２】
耳に装着して使用するイヤリングは、ねじ式、ばね式、またはクリップ式の挟着金具を備え、このような挟着金具を耳たぶの両側から挾むようにし、これによってイヤリングを耳に装着するようにしていた。
【０００３】
他方、ピアスタイプのイヤリングは耳たぶに孔をあけ、イヤリングに取付けられているピンをこの穴に通し、このピンを介してピアスイヤリングを支持するようにしている。
【０００４】
ところで、ねじ式、ばね式、またはクリップ式の挟着金具を備えたイヤリングにおいては、耳たぶからの脱落で紛失しやすいという問題があった。
そのため、特開平３−２５１２０５号公報（特許文献１参照）や実開平５−４８７０９号公報（特許文献２参照）、特開平８−１９６３１４号公報（特許文献３参照）のように、外耳道近くの耳介の凹所に取り付ける押圧部を備えたフック状の係合部材をイヤリングを構成する装飾部分の背面の上端に設け、これを押圧部を備えたフックのように前記凹所に引掛けて脱落を防止していた。
【先行技術文献】
【特許文献】
【０００５】
【特許文献１】特開平３−２５１２０５号公報
【特許文献２】実開平５−４８７０９号公報
【特許文献３】特開平８−１９６３１４号公報
【発明の概要】
【発明が解決しようとする課題】
【０００６】
しかしながら、外耳道近くの耳介の凹所に取り付ける押圧部を備えたフック状の係合部材をイヤリングを構成する装飾部分の背面の上端に設け、これを押圧部を備えたフックのように前記凹所に引掛けて脱落を防止する従来例のものは、装飾部分の背面の上端に外耳道近くの耳介の凹所に引掛ける押圧部を備えたフック状の係合部材が設けられているため、耳介との間で擦れて出る耳障りな音が外耳道から大きく聞こえてしまうことがあって不快感を生じさせたり、装飾部分のデザインが限定されやすく装飾性にも制約が出てしまうという問題があった。
【０００７】
本発明はこのような問題を解消するためになされたものであって、耳介による支持が安定に行なわれるとともに、重量が大きくても十分に支えることが可能であって落下せず、しかも装飾性が大幅に向上したイヤリングを提供することを目的とする。
【課題を解決するための手段】
【０００８】
すなわちこの発明のクリップ式イヤリングは、耳介の前面側に装飾部材を装着するようにしたクリップ式イヤリングであって、耳介の前面側の適所に当接する押圧部を備えたフック状部材を前記装飾部材背面の適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記装飾部材の基端部に開閉自在かつ装飾部材側に付勢するよう取り付けることにより、装飾性を損なうことなく耳介からの脱落を防止できるようにしたことを特徴とするものである。
【０００９】
この発明のクリップ式イヤリングにおいて、耳介の耳たぶ以外の部位を厚さ方向かつ斜め方向で挟み付ける挟着部材は、前記押圧部を備えたフック状部材に少なくとも垂直方向に対して３０°以上の角度で対向し、挟着時に無理なく耳介からの脱落を防止できるようにしたことをも特徴とするものである。
【００１０】
この発明のクリップ式イヤリングにおいて、前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることをも特徴とするものである。
【００１１】
この発明のクリップ式イヤリングにおいて、前記装飾部材は、金属線材を加工して裏側を透視可能となっており、かつ耳介の中段部分に位置する凹所に係止する押圧部を備えたフック状部材をも前記金属線材によって一体的に形成してあることをも特徴とするものである。
【発明の効果】
【００１２】
本発明のクリップ式イヤリングによれば、耳介に固定するための挟着手段によって耳たぶ以外の耳介の適所に固定するとともに、押圧部を備えたフック状部材によって耳介の上段部分に係止した状態でクリップ式イヤリングが耳介に取付けられた状態で確実に支持されることになる。
もちろん、前記押圧部を備えたフック状部材がクリップ式イヤリングの装飾部材の装飾性を損なうことがなく、非常に装飾性に優れたクリップ式イヤリングを提供することが可能なった。
【図面の簡単な説明】
【００１３】
【図１】本発明のクリップ式イヤリングの側面図である。
【図２】図１を反対側から見た状態の側面図である。
【図３】挟着部材を開いた状態の側面図である。
【図４】挟着部材を開いた状態の平面図である。
【図５】挟着部材を閉じた状態の平面図である。
【図６】挟着部材を閉じた状態の概略側面図である。
【図７】挟着部材を閉じた状態の概略断面図である。
【図８】挟着部材を開いた状態の概略側面図である。
【図９】挟着部材を開いた状態の概略断面図である。
【図１０】挟着部材を組み付けようとする状態の概略斜視図である。
【図１１】挟着部材を組み付けた状態の概略斜視図である。
【図１２】板状のばねを透視した場合の概略斜視図である。
【図１３】中央で切断した場合の概略斜視図である。
【図１４】挟着部材を開いた状態の概略斜視図である。
【図１５】挟着部材を開いた状態において中央で切断した場合の概略斜視図である。
【発明を実施するための形態】
【００１４】
図１〜図５は、本発明の１実施例に係るクリップ式イヤリングを示している。
すなわち図１、図２および図３において、クリップ式イヤリング１０は、耳介３１の前面側に装飾部材１１を装着するようにしたものであって、耳介３１に当接する押圧部を備えたフック状部材１２を前記装飾部材１１背面の適宜位置に配設されている。図において前記押圧部は丸玉状の膨頭部１５である。
そして前記フック状部材１２は、前記装飾部材１１を耳介３１の前面側に装着した際に、前記膨頭部１５が耳介３１の凹所に収納されるように耳介３１の形状に応じた凹部形状となっている。
また前記装飾部材１１の基端部には、前記耳介３１の中段部分の裏面側を押圧して前記装飾部材１１の膨頭部１５を備えたフック状部材１２との間で耳介３１の厚さ部分において挟み付ける挟着部材２１が取り付けられている。ちなみに、前記挟着部材２１は、前記フック状部材１２の膨頭部１５に少なくとも垂直方向に対して３０°以上の角度で対向しており、前記耳介３１を斜めにして前記フック状部材１２の膨頭部１５に押し付けるため、格段に脱落を防止する効果が高まったことが確認できた。なお、前記角度は、３０°〜６０°が望ましく、３０°未満の場合は脱落防止効果が弱く、６０°を超える場合は耳介３１の変形度合いが大きくなるために耳介３１に違和感を生じやすいという問題点がある。
したがって耳介３１の段差部分の位置に限定されることなく、耳介３１のどの位置においても装着することができる。
この装飾部材１１の基端部に取り付けた挟着部材２１は、開閉自在であり、かつ装飾部材１１側に付勢するよう取り付けてある。図３および図４は装飾部材１１の基端部に取り付けた挟着部材２１を開いた状態を示すものである。
以上のように構成したことにより、前記挟着部材２１は耳介３１の裏側に配置されて装飾性を損なうことがなく、またこの挟着部材２１によって耳介３１からの脱落を確実に防止することができる。
【００１５】
図６〜図９は、前記装飾部材１１との間で耳介３１を挟み付ける挟着部材２１を示しており、前記装飾部材１１の基端部には突片１３が設けてあり、また挟着部材本体２２には該突片１３を挟むための分岐部２３が形成されているので、前記突片１３に分岐部２３を装着して軸ピン２４にて回転可能に連結することができる。これによって前記挟着部材本体２２は装飾部材１１に対して開閉自在となっている。
【００１６】
さらに、前記挟着部材本体２２には前記突片１３の内周面および先端面を押圧する板状のばね２５が取り付けてあり、前記装飾部材１１側に付勢するようになっている。
すなわち、前記挟着部材本体２２に取り付けた前記突片１３の内周面および先端面を押圧する板状のばね２５は、前記挟着部材本体２２を開いた状態では前記突片１３の先端面に当接してその開放状態を保持している。逆に開放状態から前記挟着部材本体２２を閉じる方向に回動させると、前記板状のばね２５は前記突片１３の内周面の板面に強制的に当接しようとして、前記挟着部材本体２２を前記装飾部材１１側に付勢するように動くのである。
【００１７】
図１０は、前記挟着部材２１を構成する各部材を示すものである。
すなわち、前記挟着部材２１は装飾部材１１の端部に設けた軸受１４と、挟着部材本体２２の端部に設けた分岐部２３と、軸受１４の両側に該分岐部２３をはめ込んだ状態で挿通し、両者を固着する軸ピン２４を備えている。１３は前記軸受１４の先端に位置する突片、２５は前記挟着部材本体２２の基端部側の内周面に設けた取付溝２６に装着する板状のばねである。
そして図１１はこれらを組み付けた状態を示している。
【００１８】
次に図１２〜図１５は、前記挟着部材本体２２に取り付けた、前記突片１３の内周面および先端面を押圧する板状のばね２５の機能を説明するためのものである。
すなわち、前記挟着部材本体２２内周面の取付溝２６には板状のばね２５がはめ込まれており、前記取付溝２６の上端側の内周側に差渡された保持アーム２７で抜け止めされている。
この板状のばね２５は、前記突片１３の内周面および先端面を押圧するよう機能しており、図１４および図１５に示すように前記挟着部材本体２２を開いた状態では前記突片１３の先端面に当接してその開放状態を保持している。逆に開放状態から前記挟着部材本体２２を閉じる方向に回動させると、図１２および図１３に示すように前記板状のばね２５は前記突片１３の内周面の板面に強制的に当接しようとして、前記挟着部材本体２２を前記装飾部材１１側に付勢するように動くのである。
【００１９】
なお、この実施例のクリップ式イヤリング１０において、前記装飾部材１１は、図１〜図３に示すように、金やプラチナ、銀等の貴金属製の金属線材１１ａを加工して所定の植物を模したデザインとしてあり、したがってこの装飾部材１１は裏側を透視可能となっている。
また耳介３１の中段部分に位置する凹所３２に係止する押圧部を備えたフック状部材１２も前記金属線材１１ａによって前記装飾部材１１に一体的に形成してある。このように、前記装飾部材１１を金属線材１１ａを加工して所定の植物を模したデザインとした上、前記押圧部を備えたフック状部材１２をも金属線材１１ａ製とすることにより、前記装飾部材１１と押圧部を備えたフック状部材１２とを違和感なく組み合わせることができる。
もちろん、前記装飾部材１１のデザインは植物を模したものに限定される必要はなく、種々のデザインとすることができる。またその素材も、金属線材１１ａに限らず、金属板材を打ち抜いたり、プレス等の加工手段で所定の形態に形成したものであってもよい。
【００２０】
このようなクリップ式イヤリング１０は、図３のように前記挟着部材本体２２を開くとともに、前記装飾部材１１を耳介３１の前面側に押し当て、図１および図２のように前記挟着部材本体２２を閉じると、前記挟着部材本体２２は立ち上がって耳介３１の背後に沿った状態となり、かつ前記フック状部材１２の膨頭部１５に少なくとも垂直方向に対して３０°以上の角度で対向しており、前記耳介３１を斜めにして前記フック状部材１２の膨頭部１５に押し付けるため確実に耳介３１からの脱落を防止することができる。
したがってクリップ式イヤリング１０を耳介３１のどの位置においても確実に装着することができる。もちろん、耳介３１の中段部分に位置する凹所３２に係止することもでき、無理なく脱落を防止できる。
【００２１】
このようなクリップ式イヤリング１０は、押圧部を備えたフック状部材１２と前記耳介３１の中段部分以上まで伸びる長尺の前記挟着部材２１とによって耳介３１を斜めに挟着するために、従来例に比してクリップ式イヤリングが脱落し難くなる。同様に、押圧部を備えたフック状部材１２と前記耳介３１の中段部分以上まで伸びる長尺の前記挟着部材２１とによって耳介３１をより広い面積で挟着して耳介３１を強く締付けることがないために、不快感を防止できるようになり、フィット感が向上するため長時間の使用が可能になる。
【産業上の利用可能性】
【００２２】
以上のように本発明のクリップ式イヤリングは、耳介の両側を挟み付ける装飾部材と挟着部材とともに、耳介内の適所に係止する押圧部を備えたフック状部材を装飾部材の裏面に設けたものであり、上記実施例のばね状の挟着部材のみならず、その他の適宜の挟着部材をも用いることができる。
【符号の説明】
【００２３】
１０  クリップ式イヤリング
１１  装飾部材
１１ａ  金属線材
１２  押圧部を備えたフック状部材
１３  突片
１４  軸受
１５  膨頭部
２１  挟着部材
２２  挟着部材本体
２３  分岐部
２４  軸ピン
２５  板状のばね
２６  取付溝
２７  保持アーム
３１  耳介
３２  凹所
【図１】
2018079103.tif 000003
【図２】
2018079103.tif 000004
【図３】
2018079103.tif 000005
【図４】
2018079103.tif 000006
【図５】
2018079103.tif 000007
【図６】
2018079103.tif 000008
【図７】
2018079103.tif 000009
【図８】
2018079103.tif 000010
【図９】
2018079103.tif 000011
【図１０】
2018079103.tif 000012
【図１１】
2018079103.tif 000013
【図１２】
2018079103.tif 000014
【図１３】
2018079103.tif 000015
【図１４】
2018079103.tif 000016
【図１５】
2018079103.tif 000017
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
耳介の前面側に装飾部材を装着するようにしたクリップ式イヤリングであって、耳介の前面側の適所に当接する押圧部を備えたフック状部材を前記装飾部材背面の適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記押圧部を備えたフック状部材に少なくとも垂直方向に対して３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするクリップ式イヤリング。
【請求項２】
前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることを特徴とする請求項１のクリップ式イヤリング。
【請求項３】
前記装飾部材は、金属線材を加工して裏側を透視可能となっており、かつ耳介の中段部分に位置する凹所に係止する押圧部を備えたフック状部材をも前記金属線材によって一体的に形成してあることを特徴とする請求項１又は請求項２のいずれかに記載のクリップ式イヤリング。
【手続補正２】
【補正対象書類名】明細書
【補正対象項目名】全文
【補正方法】変更
【補正の内容】
【発明の詳細な説明】
【技術分野】
【０００１】
本発明は耳介を挟み付けるようにしたイヤリングに関する。
【背景技術】
【０００２】
耳に装着して使用するイヤリングは、ねじ式、ばね式、またはクリップ式の挟着金具を備え、このような挟着金具を耳たぶの両側から挾むようにし、これによってイヤリングを耳に装着するようにしていた。
【０００３】
他方、ピアスタイプのイヤリングは耳たぶに孔をあけ、イヤリングに取付けられているピンをこの穴に通し、このピンを介してピアスイヤリングを支持するようにしている。
【０００４】
ところで、ねじ式、ばね式、またはクリップ式の挟着金具を備えたイヤリングにおいては、耳たぶからの脱落で紛失しやすいという問題があった。
そのため、特開平３−２５１２０５号公報（特許文献１参照）や実開平５−４８７０９号公報（特許文献２参照）、特開平８−１９６３１４号公報（特許文献３参照）のように、外耳道近くの耳介の凹所に取り付ける押圧部を備えたフック状部材状の係合部材をイヤリングを構成する装飾部分の背面の上端に設け、これを押圧部を備えたフック状部材のように前記凹所に引掛けて脱落を防止していた。
【先行技術文献】
【特許文献】
【０００５】
【特許文献１】特開平３−２５１２０５号公報
【特許文献２】実開平５−４８７０９号公報
【特許文献３】特開平８−１９６３１４号公報
【発明の概要】
【発明が解決しようとする課題】
【０００６】
しかしながら、外耳道近くの耳介の凹所に取り付ける押圧部を備えたフック状部材状の係合部材をイヤリングを構成する装飾部分の背面の上端に設け、これを押圧部を備えたフック状部材のように前記凹所に引掛けて脱落を防止する従来例のものは、装飾部分の背面の上端に外耳道近くの耳介の凹所に引掛ける押圧部を備えたフック状部材状の係合部材が設けられているため、耳介との間で擦れて出る耳障りな音が外耳道から大きく聞こえてしまうことがあって不快感を生じさせたり、装飾部分のデザインが限定されやすく装飾性にも制約が出てしまうという問題があった。
【０００７】
本発明はこのような問題を解消するためになされたものであって、耳介による支持が安定に行なわれるとともに、重量が大きくても十分に支えることが可能であって落下せず、しかも装飾性が大幅に向上したイヤリングを提供することを目的とする。
【課題を解決するための手段】
【０００８】
すなわちこの発明のクリップ式イヤリングは、耳介の前面側に装飾部材を装着するようにしたクリップ式イヤリングであって、耳介の前面側の適所に当接する押圧部を備えたフック状部材を前記装飾部材背面の適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記押圧部を備えたフック状部材に少なくとも垂直方向に対して３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするものである。
【０００９】
この発明のクリップ式イヤリングにおいて、耳介の耳たぶ以外の部位を厚さ方向かつ斜め方向で挟み付ける挟着部材は、前記押圧部を備えたフック状部材に少なくとも垂直方向に対して３０°以上の角度で対向し、挟着時に無理なく耳介からの脱落を防止できるようにしたことをも特徴とするものである。
【００１０】
この発明のクリップ式イヤリングにおいて、前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることをも特徴とするものである。
【００１１】
この発明のクリップ式イヤリングにおいて、前記装飾部材は、金属線材を加工して裏側を透視可能となっており、かつ耳介の中段部分に位置する凹所に係止する押圧部を備えたフック状部材を前記金属線材によって一体的に形成してあることをも特徴とするものである。
【発明の効果】
【００１２】
本発明のクリップ式イヤリングによれば、耳介に固定するための挟着手段によって耳たぶ以外の耳介の適所に固定するとともに、押圧部を備えたフック状部材によって耳介の上段部分に係止した状態でクリップ式イヤリングが耳介に取付けられた状態で確実に支持されることになる。
もちろん、前記押圧部を備えたフック状部材がクリップ式イヤリングの装飾部材の装飾性を損なうことがなく、非常に装飾性に優れたクリップ式イヤリングを提供することが可能なった。
【図面の簡単な説明】
【００１３】
【図１】本発明のクリップ式イヤリングの側面図である。
【図２】図１を反対側から見た状態の側面図である。
【図３】挟着部材を開いた状態の側面図である。
【図４】挟着部材を開いた状態の平面図である。
【図５】挟着部材を閉じた状態の平面図である。
【図６】挟着部材を閉じた状態の概略側面図である。
【図７】挟着部材を閉じた状態の概略断面図である。
【図８】挟着部材を開いた状態の概略側面図である。
【図９】挟着部材を開いた状態の概略断面図である。
【図１０】挟着部材を組み付けようとする状態の概略斜視図である。
【図１１】挟着部材を組み付けた状態の概略斜視図である。
【図１２】板状のばねを透視した場合の概略斜視図である。
【図１３】中央で切断した場合の概略斜視図である。
【図１４】挟着部材を開いた状態の概略斜視図である。
【図１５】挟着部材を開いた状態において中央で切断した場合の概略斜視図である。
【発明を実施するための形態】
【００１４】
図１〜図５は、本発明の１実施例に係るクリップ式イヤリングを示している。
すなわち図１、図２および図３において、クリップ式イヤリング１０は、耳介３１の前面側に装飾部材１１を装着するようにしたものであって、耳介３１に当接する押圧部を備えたフック状部材１２を前記装飾部材１１背面の適宜位置に配設されている。図において前記押圧部は丸玉状の膨頭部１５である。
そして前記フック状部材１２は、前記装飾部材１１を耳介３１の前面側に装着した際に、前記膨頭部１５が耳介３１の凹部に収納されるように耳介３１の形状に応じた凹部形状となっている。
また前記装飾部材１１の基端部には、前記耳介３１の中段部分の裏面側を押圧して前記装飾部材１１の膨頭部１５を備えたフック状部材１２との間で耳介３１の厚さ部分において挟み付ける挟着部材２１が取り付けられている。ちなみに、前記挟着部材２１は、前記フック状部材１２の膨頭部１５に少なくとも垂直方向に対して３０°以上の角度で対向しており、前記耳介３１を斜めにして前記フック状部材１２の膨頭部１５に押し付けるため、格段に脱落を防止する効果が高まったことが確認できた。なお、前記角度は、３０°〜６０°が望ましく、３０°未満の場合は脱落防止効果が弱く、６０°を超える場合は耳介３１の変形度合いが大きくなるために耳介３１に違和感を生じやすいという問題点がある。
したがって耳介３１の段差部分の位置に限定されることなく、耳介３１のどの位置においても装着することができる。
この装飾部材１１の基端部に取り付けた挟着部材２１は、開閉自在であり、かつ装飾部材１１側に付勢するよう取り付けてある。図３および図４は装飾部材１１の基端部に取り付けた挟着部材２１を開いた状態を示すものである。
以上のように構成したことにより、前記挟着部材２１は耳介３１の裏側に配置されて装飾性を損なうことがなく、またこの挟着部材２１によって耳介３１からの脱落を確実に防止することができる。
【００１５】
図６〜図９は、前記装飾部材１１との間で耳介３１を挟み付ける挟着部材２１を示しており、前記装飾部材１１の基端部には突片１３が設けてあり、また挟着部材本体２２には該突片１３を挟むための分岐部２３が形成されているので、前記突片１３に分岐部２３を装着して軸ピン２４にて回転可能に連結することができる。これによって前記挟着部材本体２２は装飾部材１１に対して開閉自在となっている。
【００１６】
さらに、前記挟着部材本体２２には前記突片１３の内周面および先端面を押圧する板状のばね２５が取り付けてあり、前記装飾部材１１側に付勢するようになっている。
すなわち、前記挟着部材本体２２に取り付けた前記突片１３の内周面および先端面を押圧する板状のばね２５は、前記挟着部材本体２２を開いた状態では前記突片１３の先端面に当接してその開放状態を保持している。逆に開放状態から前記挟着部材本体２２を閉じる方向に回動させると、前記板状のばね２５は前記突片１３の内周面の板面に強制的に当接しようとして、前記挟着部材本体２２を前記装飾部材１１側に付勢するように動くのである。
【００１７】
図１０は、前記挟着部材２１を構成する各部材を示すものである。
すなわち、前記挟着部材２１は装飾部材１１の端部に設けた軸受１４と、挟着部材本体２２の端部に設けた分岐部２３と、軸受１４の両側に該分岐部２３をはめ込んだ状態で挿通し、両者を固着する軸ピン２４を備えている。１３は前記軸受１４の先端に位置する突片、２５は前記挟着部材本体２２の基端部側の内周面に設けた取付溝２６に装着する板状のばねである。
そして図１１はこれらを組み付けた状態を示している。
【００１８】
次に図１２〜図１５は、前記挟着部材本体２２に取り付けた、前記突片１３の内周面および先端面を押圧する板状のばね２５の機能を説明するためのものである。
すなわち、前記挟着部材本体２２内周面の取付溝２６には板状のばね２５がはめ込まれており、前記取付溝２６の上端側の内周側に差渡された保持アーム２７で抜け止めされている。
この板状のばね２５は、前記突片１３の内周面および先端面を押圧するよう機能しており、図１４および図１５に示すように前記挟着部材本体２２を開いた状態では前記突片１３の先端面に当接してその開放状態を保持している。逆に開放状態から前記挟着部材本体２２を閉じる方向に回動させると、図１２および図１３に示すように前記板状のばね２５は前記突片１３の内周面の板面に強制的に当接しようとして、前記挟着部材本体２２を前記装飾部材１１側に付勢するように動くのである。
【００１９】
なお、この実施例のクリップ式イヤリング１０において、前記装飾部材１１は、図１〜図３に示すように、金やプラチナ、銀等の貴金属製の金属線材１１ａを加工して所定の植物を模したデザインとしてあり、したがってこの装飾部材１１は裏側を透視可能となっている。
また耳介３１の中段部分に位置する凹所３２に係止する押圧部を備えたフック状部材１２も前記金属線材１１ａによって前記装飾部材１１に一体的に形成してある。このように、前記装飾部材１１を金属線材１１ａを加工して所定の植物を模したデザインとした上、前記押圧部を備えたフック状部材１２をも金属線材１１ａ製とすることにより、前記装飾部材１１と押圧部を備えたフック状部材１２とを違和感なく組み合わせることができる。
もちろん、前記装飾部材１１のデザインは植物を模したものに限定される必要はなく、種々のデザインとすることができる。またその素材も、金属線材１１ａに限らず、金属板材を打ち抜いたり、プレス等の加工手段で所定の形態に形成したものであってもよい。
【００２０】
このようなクリップ式イヤリング１０は、図３のように前記挟着部材本体２２を開くとともに、前記装飾部材１１を耳介３１の前面側に押し当て、図１および図２のように前記挟着部材本体２２を閉じると、前記挟着部材本体２２は立ち上がって耳介３１の背後に沿った状態となり、かつ前記フック状部材１２の膨頭部１５に少なくとも垂直方向に対して３０°以上の角度で対向しており、前記耳介３１を斜めにして前記フック状部材１２の膨頭部１５に押し付けるため確実に耳介３１からの脱落を防止することができる。
したがってクリップ式イヤリング１０を耳介３１のどの位置においても確実に装着することができる。もちろん、耳介３１の中段部分に位置する凹所３２に係止することもでき、無理なく脱落を防止できる。
【００２１】
このようなクリップ式イヤリング１０は、押圧部を備えたフック状部材１２と前記耳介３１の中段部分以上まで伸びる長尺の前記挟着部材２１とによって耳介３１を斜めに挟着するために、従来例に比してクリップ式イヤリングが脱落し難くなる。同様に、押圧部を備えたフック状部材１２と前記耳介３１の中段部分以上まで伸びる長尺の前記挟着部材２１とによって耳介３１をより広い面積で挟着して耳介３１を強く締付けることがないために、不快感を防止できるようになり、フィット感が向上するため長時間の使用が可能になる。
【産業上の利用可能性】
【００２２】
以上のように本発明のクリップ式イヤリングは、耳介の両側を挟み付ける装飾部材と挟着部材とともに、耳介内の適所に係止する押圧部を備えたフック状部材を装飾部材の裏面に設けたものであり、上記実施例のばね状の挟着部材のみならず、その他の適宜の挟着部材をも用いることができる。
【符号の説明】
【００２３】
１０  クリップ式イヤリング
１１  装飾部材
１１ａ  金属線材
１２  押圧部を備えたフック状部材
１３  突片
１４  軸受
１５  膨頭部
２１  挟着部材
２２  挟着部材本体
２３  分岐部
２４  軸ピン
２５  板状のばね
２６  取付溝
２７  保持アーム
３１  耳介
３２  凹所
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
耳介の前面側に装飾部材を装着するようにしたクリップ式イヤリングであって、耳介の前面側の適所に当接する押圧部を備えたフック状部材を前記装飾部材背面の上端部を除く適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記押圧部を備えたフック状部材に少なくとも垂直方向に対して３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするクリップ式イヤリング。
【請求項２】
前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることを特徴とする請求項１のクリップ式イヤリング。
【請求項３】
前記装飾部材は、金属線材を加工して裏側を透視可能となっており、かつ耳介の中段部分に位置する凹所に係止する押圧部を備えたフック状部材をも前記金属線材によって一体的に形成してあることを特徴とする請求項１又は請求項２のいずれかに記載のクリップ式イヤリング。
【手続補正２】
【補正対象書類名】明細書
【補正対象項目名】全文
【補正方法】変更
【補正の内容】
【発明の詳細な説明】
【技術分野】
【０００１】
本発明は耳介を挟み付けるようにしたイヤリングに関する。
【背景技術】
【０００２】
耳に装着して使用するイヤリングは、ねじ式、ばね式、またはクリップ式の挟着金具を備え、このような挟着金具を耳たぶの両側から挾むようにし、これによってイヤリングを耳に装着するようにしていた。
【０００３】
他方、ピアスタイプのイヤリングは耳たぶに孔をあけ、イヤリングに取付けられているピンをこの穴に通し、このピンを介してピアスイヤリングを支持するようにしている。
【０００４】
ところで、ねじ式、ばね式、またはクリップ式の挟着金具を備えたイヤリングにおいては、耳たぶからの脱落で紛失しやすいという問題があった。
そのため、特開平３−２５１２０５号公報（特許文献１参照）や実開平５−４８７０９号公報（特許文献２参照）、特開平８−１９６３１４号公報（特許文献３参照）のように、外耳道近くの耳介の凹所に取り付ける押圧部を備えたフック状部材状の係合部材をイヤリングを構成する装飾部分の背面の上端に設け、これを押圧部を備えたフック状部材のように前記凹所に引掛けて脱落を防止していた。
【先行技術文献】
【特許文献】
【０００５】
【特許文献１】特開平３−２５１２０５号公報
【特許文献２】実開平５−４８７０９号公報
【特許文献３】特開平８−１９６３１４号公報
【発明の概要】
【発明が解決しようとする課題】
【０００６】
しかしながら、外耳道近くの耳介の凹所に取り付ける押圧部を備えたフック状部材状の係合部材をイヤリングを構成する装飾部分の背面の上端に設け、これを押圧部を備えたフック状部材のように前記凹所に引掛けて脱落を防止する従来例のものは、装飾部分の背面の上端に外耳道近くの耳介の凹所に引掛ける押圧部を備えたフック状部材状の係合部材が設けられているため、耳介との間で擦れて出る耳障りな音が外耳道から大きく聞こえてしまうことがあって不快感を生じさせたり、装飾部分のデザインが限定されやすく装飾性にも制約が出てしまうという問題があった。
【０００７】
本発明はこのような問題を解消するためになされたものであって、耳介による支持が安定に行なわれるとともに、重量が大きくても十分に支えることが可能であって落下せず、しかも装飾性が大幅に向上したイヤリングを提供することを目的とする。
【課題を解決するための手段】
【０００８】
すなわちこの発明のクリップ式イヤリングは、耳介の前面側に装飾部材を装着するようにしたクリップ式イヤリングであって、耳介の前面側の適所に当接する押圧部を備えたフック状部材を前記装飾部材背面の上端部を除く適宜位置に配設するとともに、前記耳介の裏面側を押圧して前記押圧部を備えたフック状部材との間で耳介の耳たぶ以外の部位を厚さ方向かつ斜め方向で挟み付ける挟着部材を、前記押圧部を備えたフック状部材に少なくとも垂直方向に対して３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするものである。
【０００９】
この発明のクリップ式イヤリングにおいて、耳介の耳たぶ以外の部位を厚さ方向かつ斜め方向で挟み付ける挟着部材は、前記押圧部を備えたフック状部材に少なくとも垂直方向に対して３０°以上の角度で対向し、挟着時に無理なく耳介からの脱落を防止できるようにしたことをも特徴とするものである。
【００１０】
この発明のクリップ式イヤリングにおいて、前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることをも特徴とするものである。
【００１１】
この発明のクリップ式イヤリングにおいて、前記装飾部材は、金属線材を加工して裏側を透視可能となっており、かつ耳介の中段部分に位置する凹所に係止する押圧部を備えたフック状部材を前記金属線材によって一体的に形成してあることをも特徴とするものである。
【発明の効果】
【００１２】
本発明のクリップ式イヤリングによれば、耳介に固定するための挟着手段によって耳たぶ以外の耳介の適所に固定するとともに、押圧部を備えたフック状部材によって耳介の上段部分に係止した状態でクリップ式イヤリングが耳介に取付けられた状態で確実に支持されることになる。
もちろん、前記押圧部を備えたフック状部材がクリップ式イヤリングの装飾部材の装飾性を損なうことがなく、非常に装飾性に優れたクリップ式イヤリングを提供することが可能なった。
【図面の簡単な説明】
【００１３】
【図１】本発明のクリップ式イヤリングの側面図である。
【図２】図１を反対側から見た状態の側面図である。
【図３】挟着部材を開いた状態の側面図である。
【図４】挟着部材を開いた状態の平面図である。
【図５】挟着部材を閉じた状態の平面図である。
【図６】挟着部材を閉じた状態の概略側面図である。
【図７】挟着部材を閉じた状態の概略断面図である。
【図８】挟着部材を開いた状態の概略側面図である。
【図９】挟着部材を開いた状態の概略断面図である。
【図１０】挟着部材を組み付けようとする状態の概略斜視図である。
【図１１】挟着部材を組み付けた状態の概略斜視図である。
【図１２】板状のばねを透視した場合の概略斜視図である。
【図１３】中央で切断した場合の概略斜視図である。
【図１４】挟着部材を開いた状態の概略斜視図である。
【図１５】挟着部材を開いた状態において中央で切断した場合の概略斜視図である。
【発明を実施するための形態】
【００１４】
図１〜図５は、本発明の１実施例に係るクリップ式イヤリングを示している。
すなわち図１、図２および図３において、クリップ式イヤリング１０は、耳介３１の前面側に装飾部材１１を装着するようにしたものであって、耳介３１に当接する押圧部を備えたフック状部材１２を前記装飾部材１１背面の上端部を除く適宜位置に配設されている。図において前記押圧部は丸玉状の膨頭部１５である。
そして前記フック状部材１２は、前記装飾部材１１を耳介３１の前面側に装着した際に、前記膨頭部１５が耳介３１の凹部に収納されるように耳介３１の形状に応じた凹部形状となっている。
また前記装飾部材１１の基端部には、前記耳介３１の中段部分の裏面側を押圧して前記装飾部材１１の膨頭部１５を備えたフック状部材１２との間で耳介３１の厚さ部分において挟み付ける挟着部材２１が取り付けられている。ちなみに、前記挟着部材２１は、前記フック状部材１２の膨頭部１５に少なくとも垂直方向に対して３０°以上の角度で対向しており、前記耳介３１を斜めにして前記フック状部材１２の膨頭部１５に押し付けるため、格段に脱落を防止する効果が高まったことが確認できた。なお、前記角度は、３０°〜６０°が望ましく、３０°未満の場合は脱落防止効果が弱く、６０°を超える場合は耳介３１の変形度合いが大きくなるために耳介３１に違和感を生じやすいという問題点がある。
したがって耳介３１の段差部分の位置に限定されることなく、耳介３１のどの位置においても装着することができる。
この装飾部材１１の基端部に取り付けた挟着部材２１は、開閉自在であり、かつ装飾部材１１側に付勢するよう取り付けてある。図３および図４は装飾部材１１の基端部に取り付けた挟着部材２１を開いた状態を示すものである。
以上のように構成したことにより、前記挟着部材２１は耳介３１の裏側に配置されて装飾性を損なうことがなく、またこの挟着部材２１によって耳介３１からの脱落を確実に防止することができる。
【００１５】
図６〜図９は、前記装飾部材１１との間で耳介３１を挟み付ける挟着部材２１を示しており、前記装飾部材１１の基端部には突片１３が設けてあり、また挟着部材本体２２には該突片１３を挟むための分岐部２３が形成されているので、前記突片１３に分岐部２３を装着して軸ピン２４にて回転可能に連結することができる。これによって前記挟着部材本体２２は装飾部材１１に対して開閉自在となっている。
【００１６】
さらに、前記挟着部材本体２２には前記突片１３の内周面および先端面を押圧する板状のばね２５が取り付けてあり、前記装飾部材１１側に付勢するようになっている。
すなわち、前記挟着部材本体２２に取り付けた前記突片１３の内周面および先端面を押圧する板状のばね２５は、前記挟着部材本体２２を開いた状態では前記突片１３の先端面に当接してその開放状態を保持している。逆に開放状態から前記挟着部材本体２２を閉じる方向に回動させると、前記板状のばね２５は前記突片１３の内周面の板面に強制的に当接しようとして、前記挟着部材本体２２を前記装飾部材１１側に付勢するように動くのである。
【００１７】
図１０は、前記挟着部材２１を構成する各部材を示すものである。
すなわち、前記挟着部材２１は装飾部材１１の端部に設けた軸受１４と、挟着部材本体２２の端部に設けた分岐部２３と、軸受１４の両側に該分岐部２３をはめ込んだ状態で挿通し、両者を固着する軸ピン２４を備えている。１３は前記軸受１４の先端に位置する突片、２５は前記挟着部材本体２２の基端部側の内周面に設けた取付溝２６に装着する板状のばねである。
そして図１１はこれらを組み付けた状態を示している。
【００１８】
次に図１２〜図１５は、前記挟着部材本体２２に取り付けた、前記突片１３の内周面および先端面を押圧する板状のばね２５の機能を説明するためのものである。
すなわち、前記挟着部材本体２２内周面の取付溝２６には板状のばね２５がはめ込まれており、前記取付溝２６の上端側の内周側に差渡された保持アーム２７で抜け止めされている。
この板状のばね２５は、前記突片１３の内周面および先端面を押圧するよう機能しており、図１４および図１５に示すように前記挟着部材本体２２を開いた状態では前記突片１３の先端面に当接してその開放状態を保持している。逆に開放状態から前記挟着部材本体２２を閉じる方向に回動させると、図１２および図１３に示すように前記板状のばね２５は前記突片１３の内周面の板面に強制的に当接しようとして、前記挟着部材本体２２を前記装飾部材１１側に付勢するように動くのである。
【００１９】
なお、この実施例のクリップ式イヤリング１０において、前記装飾部材１１は、図１〜図３に示すように、金やプラチナ、銀等の貴金属製の金属線材１１ａを加工して所定の植物を模したデザインとしてあり、したがってこの装飾部材１１は裏側を透視可能となっている。
また耳介３１の中段部分に位置する凹所３２に係止する押圧部を備えたフック状部材１２も前記金属線材１１ａによって前記装飾部材１１に一体的に形成してある。このように、前記装飾部材１１を金属線材１１ａを加工して所定の植物を模したデザインとした上、前記押圧部を備えたフック状部材１２をも金属線材１１ａ製とすることにより、前記装飾部材１１と押圧部を備えたフック状部材１２とを違和感なく組み合わせることができる。
もちろん、前記装飾部材１１のデザインは植物を模したものに限定される必要はなく、種々のデザインとすることができる。またその素材も、金属線材１１ａに限らず、金属板材を打ち抜いたり、プレス等の加工手段で所定の形態に形成したものであってもよい。
【００２０】
このようなクリップ式イヤリング１０は、図３のように前記挟着部材本体２２を開くとともに、前記装飾部材１１を耳介３１の前面側に押し当て、図１および図２のように前記挟着部材本体２２を閉じると、前記挟着部材本体２２は立ち上がって耳介３１の背後に沿った状態となり、かつ前記フック状部材１２の膨頭部１５に少なくとも垂直方向に対して３０°以上の角度で対向しており、前記耳介３１を斜めにして前記フック状部材１２の膨頭部１５に押し付けるため確実に耳介３１からの脱落を防止することができる。
したがってクリップ式イヤリング１０を耳介３１のどの位置においても確実に装着することができる。もちろん、耳介３１の中段部分に位置する凹所３２に係止することもでき、無理なく脱落を防止できる。
【００２１】
このようなクリップ式イヤリング１０は、押圧部を備えたフック状部材１２と前記耳介３１の中段部分以上まで伸びる長尺の前記挟着部材２１とによって耳介３１を斜めに挟着するために、従来例に比してクリップ式イヤリングが脱落し難くなる。同様に、押圧部を備えたフック状部材１２と前記耳介３１の中段部分以上まで伸びる長尺の前記挟着部材２１とによって耳介３１をより広い面積で挟着して耳介３１を強く締付けることがないために、不快感を防止できるようになり、フィット感が向上するため長時間の使用が可能になる。
【産業上の利用可能性】
【００２２】
以上のように本発明のクリップ式イヤリングは、耳介の両側を挟み付ける装飾部材と挟着部材とともに、耳介内の適所に係止する押圧部を備えたフック状部材を装飾部材の裏面に設けたものであり、上記実施例のばね状の挟着部材のみならず、その他の適宜の挟着部材をも用いることができる。
【符号の説明】
【００２３】
１０  クリップ式イヤリング
１１  装飾部材
１１ａ  金属線材
１２  押圧部を備えたフック状部材
１３  突片
１４  軸受
１５  膨頭部
２１  挟着部材
２２  挟着部材本体
２３  分岐部
２４  軸ピン
２５  板状のばね
２６  取付溝
２７  保持アーム
３１  耳介
３２  凹所
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
耳介の前面側に装飾部材を装着するようにしたクリップ式イヤリングであって、耳介の前面側の適所に当接する大径の押圧部を備えた押圧部支持アームを前記装飾部材背面の上端部を除く適宜位置に配設するとともに、前記耳介の裏面側を押圧して前記押圧部を備えた押圧部支持アームとの間で耳介の耳たぶ以外の部位を厚さ方向かつ斜め方向で挟み付ける挟着部材を、前記押圧部を備えた押圧部支持アームに少なくとも垂直方向に対して斜め上から３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするクリップ式イヤリング。
【請求項２】
前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることを特徴とする請求項１のクリップ式イヤリング。
【請求項３】
前記装飾部材は、金属線材を加工して裏側を透視可能となっており、かつ耳介の中段部分に位置する凹所に係止する押圧部を備えた押圧部支持アームをも前記金属線材によって一体的に形成してあることを特徴とする請求項１又は請求項２のいずれかに記載のクリップ式イヤリング。
【手続補正２】
【補正対象書類名】明細書
【補正対象項目名】全文
【補正方法】変更
【補正の内容】
【発明の詳細な説明】
【技術分野】
【０００１】
本発明は耳介を挟み付けるようにしたイヤリングに関する。
【背景技術】
【０００２】
耳に装着して使用するイヤリングは、ねじ式、ばね式、またはクリップ式の挟着金具を備え、このような挟着金具を耳たぶの両側から挾むようにし、これによってイヤリングを耳に装着するようにしていた。
【０００３】
他方、ピアスタイプのイヤリングは耳たぶに孔をあけ、イヤリングに取付けられているピンをこの穴に通し、このピンを介してピアスイヤリングを支持するようにしている。
【０００４】
ところで、ねじ式、ばね式、またはクリップ式の挟着金具を備えたイヤリングにおいては、耳たぶからの脱落で紛失しやすいという問題があった。
そのため、特開平３−２５１２０５号公報（特許文献１参照）や実開平５−４８７０９号公報（特許文献２参照）、特開平８−１９６３１４号公報（特許文献３参照）のように、外耳道近くの耳介の凹所に取り付ける押圧部を備えた押圧部支持アーム状の係合部材をイヤリングを構成する装飾部分の背面の上端に設け、これを押圧部を備えたフック状部材のように前記凹所に引掛けて脱落を防止していた。
【先行技術文献】
【特許文献】
【０００５】
【特許文献１】特開平３−２５１２０５号公報
【特許文献２】実開平５−４８７０９号公報
【特許文献３】特開平８−１９６３１４号公報
【発明の概要】
【発明が解決しようとする課題】
【０００６】
しかしながら、外耳道近くの耳介の凹所に取り付ける押圧部を備えたフック状部材状の係合部材をイヤリングを構成する装飾部分の背面の上端に設け、これを押圧部を備えたフック状部材のように前記凹所に引掛けて脱落を防止する従来例のものは、装飾部分の背面の上端に外耳道近くの耳介の凹所に引掛ける押圧部を備えたフック状部材の係合部材が設けられているため、耳介との間で擦れて出る耳障りな音が外耳道から大きく聞こえてしまうことがあって不快感を生じさせたり、装飾部分のデザインが限定されやすく装飾性にも制約が出てしまうという問題があった。
【０００７】
本発明はこのような問題を解消するためになされたものであって、耳介による支持が安定に行なわれるとともに、重量が大きくても十分に支えることが可能であって落下せず、しかも装飾性が大幅に向上したイヤリングを提供することを目的とする。
【課題を解決するための手段】
【０００８】
すなわちこの発明のクリップ式イヤリングは、耳介の前面側に装飾部材を装着するようにしたクリップ式イヤリングであって、耳介の前面側の適所に当接する大径の押圧部を備えた押圧部支持アームを前記装飾部材背面の上端部を除く適宜位置に配設するとともに、前記耳介の裏面側を押圧して前記押圧部を備えた押圧部支持アームとの間で耳介の耳たぶ以外の部位を厚さ方向かつ斜め方向で挟み付ける挟着部材を、前記押圧部を備えた押圧部支持アームに少なくとも垂直方向に対して斜め上から３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするものである。
【０００９】
この発明のクリップ式イヤリングにおいて、耳介の耳たぶ以外の部位を厚さ方向かつ斜め方向で挟み付ける挟着部材は、前記押圧部を備えた押圧部支持アームに少なくとも垂直方向に対して３０°以上の角度で対向し、挟着時に無理なく耳介からの脱落を防止できるようにしたことをも特徴とするものである。
【００１０】
この発明のクリップ式イヤリングにおいて、前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることをも特徴とするものである。
【００１１】
この発明のクリップ式イヤリングにおいて、前記装飾部材は、金属線材を加工して裏側を透視可能となっており、かつ耳介の中段部分に位置する凹所に係止する押圧部を備えた押圧部支持アームを前記金属線材によって一体的に形成してあることをも特徴とするものである。
【発明の効果】
【００１２】
本発明のクリップ式イヤリングによれば、耳介に固定するための挟着手段によって耳たぶ以外の耳介の適所に固定するとともに、押圧部を備えた押圧部支持アームによって耳介の上段部分に係止した状態でクリップ式イヤリングが耳介に取付けられた状態で確実に支持されることになる。
もちろん、前記押圧部を備えた押圧部支持アームがクリップ式イヤリングの装飾部材の装飾性を損なうことがなく、非常に装飾性に優れたクリップ式イヤリングを提供することが可能なった。
【図面の簡単な説明】
【００１３】
【図１】本発明のクリップ式イヤリングの側面図である。
【図２】図１を反対側から見た状態の側面図である。
【図３】挟着部材を開いた状態の側面図である。
【図４】挟着部材を開いた状態の平面図である。
【図５】挟着部材を閉じた状態の平面図である。
【図６】挟着部材を閉じた状態の概略側面図である。
【図７】挟着部材を閉じた状態の概略断面図である。
【図８】挟着部材を開いた状態の概略側面図である。
【図９】挟着部材を開いた状態の概略断面図である。
【図１０】挟着部材を組み付けようとする状態の概略斜視図である。
【図１１】挟着部材を組み付けた状態の概略斜視図である。
【図１２】板状のばねを透視した場合の概略斜視図である。
【図１３】中央で切断した場合の概略斜視図である。
【図１４】挟着部材を開いた状態の概略斜視図である。
【図１５】挟着部材を開いた状態において中央で切断した場合の概略斜視図である。
【発明を実施するための形態】
【００１４】
図１〜図５は、本発明の１実施例に係るクリップ式イヤリングを示している。
すなわち図１、図２および図３において、クリップ式イヤリング１０は、耳介３１の前面側に装飾部材１１を装着するようにしたものであって、耳介３１に当接する大径の押圧部を備えた押圧部支持アーム１２を前記装飾部材１１背面の上端部を除く適宜位置に配設されている。図において前記押圧部は丸玉状の膨頭部１５である。
そして前記押圧部支持アーム１２は、前記装飾部材１１を耳介３１の前面側に装着した際に、前記膨頭部１５が耳介３１の凹部に収納されるように耳介３１の形状に応じた凹部形状となっている。
また前記装飾部材１１の基端部には、前記耳介３１の中段部分の裏面側を押圧して前記装飾部材１１の膨頭部１５を備えた押圧部支持アーム１２との間で耳介３１の厚さ部分において挟み付ける挟着部材２１が取り付けられている。ちなみに、前記挟着部材２１は、前記押圧部支持アーム１２の膨頭部１５に少なくとも垂直方向に対して斜め上から３０°以上の角度で対向しており、前記耳介３１を斜めにして前記押圧部支持アーム１２の膨頭部１５に押し付けるため、格段に脱落を防止する効果が高まったことが確認できた。なお、前記角度は、３０°〜６０°が望ましく、３０°未満の場合は脱落防止効果が弱く、６０°を超える場合は耳介３１の変形度合いが大きくなるために耳介３１に違和感を生じやすいという問題点がある。
したがって耳介３１の段差部分の位置に限定されることなく、耳介３１のどの位置においても装着することができる。
この装飾部材１１の基端部に取り付けた挟着部材２１は、開閉自在であり、かつ装飾部材１１側に付勢するよう取り付けてある。図３および図４は装飾部材１１の基端部に取り付けた挟着部材２１を開いた状態を示すものである。
以上のように構成したことにより、前記挟着部材２１は耳介３１の裏側に配置されて装飾性を損なうことがなく、またこの挟着部材２１によって耳介３１からの脱落を確実に防止することができる。
【００１５】
図６〜図９は、前記装飾部材１１との間で耳介３１を挟み付ける挟着部材２１を示しており、前記装飾部材１１の基端部には突片１３が設けてあり、また挟着部材本体２２には該突片１３を挟むための分岐部２３が形成されているので、前記突片１３に分岐部２３を装着して軸ピン２４にて回転可能に連結することができる。これによって前記挟着部材本体２２は装飾部材１１に対して開閉自在となっている。
【００１６】
さらに、前記挟着部材本体２２には前記突片１３の内周面および先端面を押圧する板状のばね２５が取り付けてあり、前記装飾部材１１側に付勢するようになっている。
すなわち、前記挟着部材本体２２に取り付けた前記突片１３の内周面および先端面を押圧する板状のばね２５は、前記挟着部材本体２２を開いた状態では前記突片１３の先端面に当接してその開放状態を保持している。逆に開放状態から前記挟着部材本体２２を閉じる方向に回動させると、前記板状のばね２５は前記突片１３の内周面の板面に強制的に当接しようとして、前記挟着部材本体２２を前記装飾部材１１側に付勢するように動くのである。
【００１７】
図１０は、前記挟着部材２１を構成する各部材を示すものである。
すなわち、前記挟着部材２１は装飾部材１１の端部に設けた軸受１４と、挟着部材本体２２の端部に設けた分岐部２３と、軸受１４の両側に該分岐部２３をはめ込んだ状態で挿通し、両者を固着する軸ピン２４を備えている。１３は前記軸受１４の先端に位置する突片、２５は前記挟着部材本体２２の基端部側の内周面に設けた取付溝２６に装着する板状のばねである。
そして図１１はこれらを組み付けた状態を示している。
【００１８】
次に図１２〜図１５は、前記挟着部材本体２２に取り付けた、前記突片１３の内周面および先端面を押圧する板状のばね２５の機能を説明するためのものである。
すなわち、前記挟着部材本体２２内周面の取付溝２６には板状のばね２５がはめ込まれており、前記取付溝２６の上端側の内周側に差渡された保持アーム２７で抜け止めされている。
この板状のばね２５は、前記突片１３の内周面および先端面を押圧するよう機能しており、図１４および図１５に示すように前記挟着部材本体２２を開いた状態では前記突片１３の先端面に当接してその開放状態を保持している。逆に開放状態から前記挟着部材本体２２を閉じる方向に回動させると、図１２および図１３に示すように前記板状のばね２５は前記突片１３の内周面の板面に強制的に当接しようとして、前記挟着部材本体２２を前記装飾部材１１側に付勢するように動くのである。
【００１９】
なお、この実施例のクリップ式イヤリング１０において、前記装飾部材１１は、図１〜図３に示すように、金やプラチナ、銀等の貴金属製の金属線材１１ａを加工して所定の植物を模したデザインとしてあり、したがってこの装飾部材１１は裏側を透視可能となっている。
また耳介３１の中段部分に位置する凹所３２に係止する押圧部を備えた押圧部支持アーム１２も前記金属線材１１ａによって前記装飾部材１１に一体的に形成してある。このように、前記装飾部材１１を金属線材１１ａを加工して所定の植物を模したデザインとした上、前記押圧部を備えた押圧部支持アーム１２をも金属線材１１ａ製とすることにより、前記装飾部材１１と押圧部を備えた押圧部支持アーム１２とを違和感なく組み合わせることができる。
もちろん、前記装飾部材１１のデザインは植物を模したものに限定される必要はなく、種々のデザインとすることができる。またその素材も、金属線材１１ａに限らず、金属板材を打ち抜いたり、プレス等の加工手段で所定の形態に形成したものであってもよい。
【００２０】
このようなクリップ式イヤリング１０は、図３のように前記挟着部材本体２２を開くとともに、前記装飾部材１１を耳介３１の前面側に押し当て、図１および図２のように前記挟着部材本体２２を閉じると、前記挟着部材本体２２は立ち上がって耳介３１の背後に沿った状態となり、かつ前記押圧部支持アーム１２の膨頭部１５に少なくとも垂直方向に対して３０°以上の角度で対向しており、前記耳介３１を斜めにして前記押圧部支持アーム１２の膨頭部１５に押し付けるため確実に耳介３１からの脱落を防止することができる。
したがってクリップ式イヤリング１０を耳介３１のどの位置においても確実に装着することができる。もちろん、耳介３１の中段部分に位置する凹所３２に係止することもでき、無理なく脱落を防止できる。
【００２１】
このようなクリップ式イヤリング１０は、押圧部を備えた押圧部支持アーム１２と前記耳介３１の中段部分以上まで伸びる長尺の前記挟着部材２１とによって耳介３１を斜めに挟着するために、従来例に比してクリップ式イヤリングが脱落し難くなる。同様に、押圧部を備えた押圧部支持アーム１２と前記耳介３１の中段部分以上まで伸びる長尺の前記挟着部材２１とによって耳介３１をより広い面積で挟着して耳介３１を強く締付けることがないために、不快感を防止できるようになり、フィット感が向上するため長時間の使用が可能になる。
【産業上の利用可能性】
【００２２】
以上のように本発明のクリップ式イヤリングは、耳介の両側を挟み付ける装飾部材と挟着部材とともに、耳介内の適所に係止する押圧部を備えた押圧部支持アームを装飾部材の裏面に設けたものであり、上記実施例のばね状の挟着部材のみならず、その他の適宜の挟着部材をも用いることができる。
【符号の説明】
【００２３】
１０  クリップ式イヤリング
１１  装飾部材
１１ａ  金属線材
１２  押圧部を備えた押圧部支持アーム
１３  突片
１４  軸受
１５  膨頭部
２１  挟着部材
２２  挟着部材本体
２３  分岐部
２４  軸ピン
２５  板状のばね
２６  取付溝
２７  保持アーム
３１  耳介
３２  凹所
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
耳介の前面側に装飾部材を装着するようにしたクリップ式イヤリングであって、耳介の前面側の適所に当接する大径の押圧部を備えた耳介支持アームを前記装飾部材背面の上端部を除く適宜位置に配設するとともに、前記耳介の裏面側を押圧して前記押圧部を備えた耳介支持アームとの間で耳介の耳たぶ以外の部位を厚さ方向かつ斜め方向で挟み付ける挟着部材を、前記押圧部を備えた耳介支持アームに少なくとも垂直方向に対して斜め上から３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするクリップ式イヤリング。
【請求項２】
前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることを特徴とする請求項１のクリップ式イヤリング。
【請求項３】
前記装飾部材は、金属線材を加工して裏側を透視可能となっており、かつ耳介の中段部分に位置する凹所に係止する押圧部を備えた耳介支持アームをも前記金属線材によって一体的に形成してあることを特徴とする請求項１又は請求項２のいずれかに記載のクリップ式イヤリング。
【手続補正２】
【補正対象書類名】明細書
【補正対象項目名】全文
【補正方法】変更
【補正の内容】
【発明の詳細な説明】
【技術分野】
【０００１】
本発明は耳介を挟み付けるようにしたイヤリングに関する。
【背景技術】
【０００２】
耳に装着して使用するイヤリングは、ねじ式、ばね式、またはクリップ式の挟着金具を備え、このような挟着金具を耳たぶの両側から挾むようにし、これによってイヤリングを耳に装着するようにしていた。
【０００３】
他方、ピアスタイプのイヤリングは耳たぶに孔をあけ、イヤリングに取付けられているピンをこの穴に通し、このピンを介してピアスイヤリングを支持するようにしている。
【０００４】
ところで、ねじ式、ばね式、またはクリップ式の挟着金具を備えたイヤリングにおいては、耳たぶからの脱落で紛失しやすいという問題があった。
そのため、特開平３−２５１２０５号公報（特許文献１参照）や実開平５−４８７０９号公報（特許文献２参照）、特開平８−１９６３１４号公報（特許文献３参照）のように、外耳道近くの耳介の凹所に取り付ける押圧部を備えた押圧部支持アーム状の係合部材をイヤリングを構成する装飾部分の背面の上端に設け、これを押圧部を備えたフック状部材のように前記凹所に引掛けて脱落を防止していた。
【先行技術文献】
【特許文献】
【０００５】
【特許文献１】特開平３−２５１２０５号公報
【特許文献２】実開平５−４８７０９号公報
【特許文献３】特開平８−１９６３１４号公報
【発明の概要】
【発明が解決しようとする課題】
【０００６】
しかしながら、外耳道近くの耳介の凹所に取り付ける押圧部を備えたフック状部材状の係合部材をイヤリングを構成する装飾部分の背面の上端に設け、これを押圧部を備えたフック状部材のように前記凹所に引掛けて脱落を防止する従来例のものは、装飾部分の背面の上端に外耳道近くの耳介の凹所に引掛ける押圧部を備えたフック状部材の係合部材が設けられているため、耳介との間で擦れて出る耳障りな音が外耳道から大きく聞こえてしまうことがあって不快感を生じさせたり、装飾部分のデザインが限定されやすく装飾性にも制約が出てしまうという問題があった。
【０００７】
本発明はこのような問題を解消するためになされたものであって、耳介による支持が安定に行なわれるとともに、重量が大きくても十分に支えることが可能であって落下せず、しかも装飾性が大幅に向上したイヤリングを提供することを目的とする。
【課題を解決するための手段】
【０００８】
すなわちこの発明のクリップ式イヤリングは、耳介の前面側に装飾部材を装着するようにしたクリップ式イヤリングであって、耳介の前面側の適所に当接する大径の押圧部を備えた耳介支持アームを前記装飾部材背面の上端部を除く適宜位置に配設するとともに、前記耳介の裏面側を押圧して前記押圧部を備えた耳介支持アームとの間で耳介の耳たぶ以外の部位を厚さ方向かつ斜め方向で挟み付ける挟着部材を、前記押圧部を備えた耳介支持アームに少なくとも垂直方向に対して斜め上から３０°〜６０°の角度で対向し、前記装飾部材の基端部に開閉自在かつ装飾部材側に付勢するよう取り付けることにより、装飾性を損なうことなく耳介からの脱落を防止できるようにしたことを特徴とするものである。
【０００９】
この発明のクリップ式イヤリングにおいて、耳介の耳たぶ以外の部位を厚さ方向かつ斜め方向で挟み付ける挟着部材は、前記押圧部を備えた耳介支持アームに少なくとも垂直方向に対して３０°以上の角度で対向し、挟着時に無理なく耳介からの脱落を防止できるようにしたことをも特徴とするものである。
【００１０】
この発明のクリップ式イヤリングにおいて、前記装飾部材との間で耳介を挟み付ける挟着部材は、前記装飾部材の基端部に設けた突片と、該突片を挟む分岐部が形成された挟着部材本体と、前記突片および該突片を挟む分岐部を軸ピンにて回転可能に連結し、前記挟着部材本体には前記突片の内周面および先端面を押圧するばねを取り付けて、前記装飾部材に対して開閉自在かつ装飾部材側に付勢するようになっていることをも特徴とするものである。
【００１１】
この発明のクリップ式イヤリングにおいて、前記装飾部材は、金属線材を加工して裏側を透視可能となっており、かつ耳介の中段部分に位置する凹所に係止する押圧部を備えた耳介支持アームを前記金属線材によって一体的に形成してあることをも特徴とするものである。
【発明の効果】
【００１２】
本発明のクリップ式イヤリングによれば、耳介に固定するための挟着手段によって耳たぶ以外の耳介の適所に固定するとともに、押圧部を備えた耳介支持アームによって耳介の上段部分に係止した状態でクリップ式イヤリングが耳介に取付けられた状態で確実に支持されることになる。
もちろん、前記押圧部を備えた耳介支持アームがクリップ式イヤリングの装飾部材の装飾性を損なうことがなく、非常に装飾性に優れたクリップ式イヤリングを提供することが可能なった。
【図面の簡単な説明】
【００１３】
【図１】本発明のクリップ式イヤリングの側面図である。
【図２】図１を反対側から見た状態の側面図である。
【図３】挟着部材を開いた状態の側面図である。
【図４】挟着部材を開いた状態の平面図である。
【図５】挟着部材を閉じた状態の平面図である。
【図６】挟着部材を閉じた状態の概略側面図である。
【図７】挟着部材を閉じた状態の概略断面図である。
【図８】挟着部材を開いた状態の概略側面図である。
【図９】挟着部材を開いた状態の概略断面図である。
【図１０】挟着部材を組み付けようとする状態の概略斜視図である。
【図１１】挟着部材を組み付けた状態の概略斜視図である。
【図１２】板状のばねを透視した場合の概略斜視図である。
【図１３】中央で切断した場合の概略斜視図である。
【図１４】挟着部材を開いた状態の概略斜視図である。
【図１５】挟着部材を開いた状態において中央で切断した場合の概略斜視図である。
【発明を実施するための形態】
【００１４】
図１〜図５は、本発明の１実施例に係るクリップ式イヤリングを示している。
すなわち図１、図２および図３において、クリップ式イヤリング１０は、耳介３１の前面側に装飾部材１１を装着するようにしたものであって、耳介３１に当接する大径の押圧部を備えた耳介支持アーム１２を前記装飾部材１１背面の上端部を除く適宜位置に配設されている。図において前記押圧部は丸玉状の膨頭部１５である。
そして前記耳介支持アーム１２は、前記装飾部材１１を耳介３１の前面側に装着した際に、前記膨頭部１５が耳介３１の凹部に収納されるように耳介３１の形状に応じた凹部形状となっている。
また前記装飾部材１１の基端部には、前記耳介３１の中段部分の裏面側を押圧して前記装飾部材１１の膨頭部１５を備えた耳介支持アーム１２との間で耳介３１の厚さ部分において挟み付ける挟着部材２１が取り付けられている。ちなみに、前記挟着部材２１は、前記耳介支持アーム１２の膨頭部１５に少なくとも垂直方向に対して斜め上から３０°以上の角度で対向しており、前記耳介３１を斜めにして前記耳介支持アーム１２の膨頭部１５に押し付けるため、格段に脱落を防止する効果が高まったことが確認できた。なお、前記角度は、３０°〜６０°が望ましく、３０°未満の場合は脱落防止効果が弱く、６０°を超える場合は耳介３１の変形度合いが大きくなるために耳介３１に違和感を生じやすいという問題点がある。
したがって耳介３１の段差部分の位置に限定されることなく、耳介３１のどの位置においても装着することができる。
この装飾部材１１の基端部に取り付けた挟着部材２１は、開閉自在であり、かつ装飾部材１１側に付勢するよう取り付けてある。図３および図４は装飾部材１１の基端部に取り付けた挟着部材２１を開いた状態を示すものである。
以上のように構成したことにより、前記挟着部材２１は耳介３１の裏側に配置されて装飾性を損なうことがなく、またこの挟着部材２１によって耳介３１からの脱落を確実に防止することができる。
【００１５】
図６〜図９は、前記装飾部材１１との間で耳介３１を挟み付ける挟着部材２１を示しており、前記装飾部材１１の基端部には突片１３が設けてあり、また挟着部材本体２２には該突片１３を挟むための分岐部２３が形成されているので、前記突片１３に分岐部２３を装着して軸ピン２４にて回転可能に連結することができる。これによって前記挟着部材本体２２は装飾部材１１に対して開閉自在となっている。
【００１６】
さらに、前記挟着部材本体２２には前記突片１３の内周面および先端面を押圧する板状のばね２５が取り付けてあり、前記装飾部材１１側に付勢するようになっている。
すなわち、前記挟着部材本体２２に取り付けた前記突片１３の内周面および先端面を押圧する板状のばね２５は、前記挟着部材本体２２を開いた状態では前記突片１３の先端面に当接してその開放状態を保持している。逆に開放状態から前記挟着部材本体２２を閉じる方向に回動させると、前記板状のばね２５は前記突片１３の内周面の板面に強制的に当接しようとして、前記挟着部材本体２２を前記装飾部材１１側に付勢するように動くのである。
【００１７】
図１０は、前記挟着部材２１を構成する各部材を示すものである。
すなわち、前記挟着部材２１は装飾部材１１の端部に設けた軸受１４と、挟着部材本体２２の端部に設けた分岐部２３と、軸受１４の両側に該分岐部２３をはめ込んだ状態で挿通し、両者を固着する軸ピン２４を備えている。１３は前記軸受１４の先端に位置する突片、２５は前記挟着部材本体２２の基端部側の内周面に設けた取付溝２６に装着する板状のばねである。
そして図１１はこれらを組み付けた状態を示している。
【００１８】
次に図１２〜図１５は、前記挟着部材本体２２に取り付けた、前記突片１３の内周面および先端面を押圧する板状のばね２５の機能を説明するためのものである。
すなわち、前記挟着部材本体２２内周面の取付溝２６には板状のばね２５がはめ込まれており、前記取付溝２６の上端側の内周側に差渡された保持アーム２７で抜け止めされている。
この板状のばね２５は、前記突片１３の内周面および先端面を押圧するよう機能しており、図１４および図１５に示すように前記挟着部材本体２２を開いた状態では前記突片１３の先端面に当接してその開放状態を保持している。逆に開放状態から前記挟着部材本体２２を閉じる方向に回動させると、図１２および図１３に示すように前記板状のばね２５は前記突片１３の内周面の板面に強制的に当接しようとして、前記挟着部材本体２２を前記装飾部材１１側に付勢するように動くのである。
【００１９】
なお、この実施例のクリップ式イヤリング１０において、前記装飾部材１１は、図１〜図３に示すように、金やプラチナ、銀等の貴金属製の金属線材１１ａを加工して所定の植物を模したデザインとしてあり、したがってこの装飾部材１１は裏側を透視可能となっている。
また耳介３１の中段部分に位置する凹所３２に係止する押圧部を備えた耳介支持アーム１２も前記金属線材１１ａによって前記装飾部材１１に一体的に形成してある。このように、前記装飾部材１１を金属線材１１ａを加工して所定の植物を模したデザインとした上、前記押圧部を備えた耳介支持アーム１２をも金属線材１１ａ製とすることにより、前記装飾部材１１と押圧部を備えた耳介支持アーム１２とを違和感なく組み合わせることができる。
もちろん、前記装飾部材１１のデザインは植物を模したものに限定される必要はなく、種々のデザインとすることができる。またその素材も、金属線材１１ａに限らず、金属板材を打ち抜いたり、プレス等の加工手段で所定の形態に形成したものであってもよい。
【００２０】
このようなクリップ式イヤリング１０は、図３のように前記挟着部材本体２２を開くとともに、前記装飾部材１１を耳介３１の前面側に押し当て、図１および図２のように前記挟着部材本体２２を閉じると、前記挟着部材本体２２は立ち上がって耳介３１の背後に沿った状態となり、かつ前記耳介支持アーム１２の膨頭部１５に少なくとも垂直方向に対して３０°以上の角度で対向しており、前記耳介３１を斜めにして前記耳介支持アーム１２の膨頭部１５に押し付けるため確実に耳介３１からの脱落を防止することができる。
したがってクリップ式イヤリング１０を耳介３１のどの位置においても確実に装着することができる。もちろん、耳介３１の中段部分に位置する凹所３２に係止することもでき、無理なく脱落を防止できる。
【００２１】
このようなクリップ式イヤリング１０は、押圧部を備えた耳介支持アーム１２と前記耳介３１の中段部分以上まで伸びる長尺の前記挟着部材２１とによって耳介３１を斜めに挟着するために、従来例に比してクリップ式イヤリングが脱落し難くなる。同様に、押圧部を備えた耳介支持アーム１２と前記耳介３１の中段部分以上まで伸びる長尺の前記挟着部材２１とによって耳介３１をより広い面積で挟着して耳介３１を強く締付けることがないために、不快感を防止できるようになり、フィット感が向上するため長時間の使用が可能になる。
【産業上の利用可能性】
【００２２】
以上のように本発明のクリップ式イヤリングは、耳介の両側を挟み付ける装飾部材と挟着部材とともに、耳介内の適所に係止する押圧部を備えた耳介支持アームを装飾部材の裏面に設けたものであり、上記実施例のばね状の挟着部材のみならず、その他の適宜の挟着部材をも用いることができる。
【符号の説明】
【００２３】
１０  クリップ式イヤリング
１１  装飾部材
１１ａ  金属線材
１２  押圧部を備えた耳介支持アーム
１３  突片
１４  軸受
１５  膨頭部
２１  挟着部材
２２  挟着部材本体
２３  分岐部
２４  軸ピン
２５  板状のばね
２６  取付溝
２７  保持アーム
３１  耳介
３２  凹所